(57)【要約】【課題】国内仕様と海外仕様に切り替えることのできる記録紙ロールホルダ装置を提供する。【解決手段】一対のホルダ１６は、装着される記録紙ロールの幅Ｌ１，Ｌ２，Ｌ３に応じて、第１，第２，第３段階の３段階に伸縮する。一対のホルダ１６は一対の支持部材に支持される。国内仕様にする場合には支持部材の間隔をＬａとし、海外仕様にする場合には支持部材の間隔をＬｂとする。支持部材は、間隔がＬａのときには第１及び第２段階に伸縮した一対のホルダを支持することができ、間隔がＬｂのときには第２及び第３段階に伸縮した一対のホルダを支持することができる。メスホルダ１４には、記録紙ロールの非装着時に係止位置に変位する係止部材が設けられている。この係止部材により、一対のホルダ１６は、記録紙ロールの非装着時において第２段階より短くはならず、いずれの仕様の場合でも確実に支持部材に係合させることができる。【選択図】        図２
2006188355.tif 000002
【特許請求の範囲】
【請求項１】
長尺の記録紙をロール状に巻いた記録紙ロールの両端から装着され、互いが結合した状態で前記記録紙ロールの幅に応じて異なる段階に伸縮し、給紙部内に固定された支持部と係合して前記記録紙ロールを回転自在に保持する一対のホルダを有する記録紙ロールホルダ装置において、
一方のホルダに取り付けられており、他方のホルダの押し込みを係止して前記一対のホルダが前記支持部と係合不能な段階に伸縮することを防止する係止位置と、前記係止位置から退避して前記他方のホルダの押し込みを自由に行わせる退避位置との間を変位する係止部材を備えたことを特徴とする記録紙ロールホルダ装置。
【請求項２】
前記係止部材は、前記記録紙ロールが装着されていないときに前記係止位置に変位し、前記記録紙ロールが装着されているときに前記退避位置に変位することを特徴とする請求項１記載の記録紙ロールホルダ装置。
【請求項３】
前記係止部材は前記係止位置に向けてバネ付勢されており、前記係止部材には、前記記録紙ロールが装着されると前記記録紙ロールの内周面に圧接し、前記記録紙ロールが前記一対のホルダに対して所定の方向に回転しようとすると前記内周面に食い込んで、前記記録紙ロールが前記一対のホルダに対して前記所定の方向に滑るのを防止する爪部が設けられていることを特徴とする請求項２記載の記録紙ロールホルダ装置。
【請求項４】
前記係止部材は、前記爪部が食い込む方向が互いに逆向きとなるようにして複数設けられていることを特徴とする請求項３記載の記録紙ロールホルダ装置。
【請求項５】
前記一対のホルダは、小さい順にＬ１，Ｌ２，Ｌ３の記録紙ロール幅に対応した第１，第２，第３段階に伸縮することが可能であり、前記支持部は、間隔がＬａまたはＬｂに固定され前記一対のホルダとそれぞれ係合する一対の支持部材からなり、前記一対の支持部材は間隔がＬａのときには第１または第２段階に伸縮した前記一対のホルダと係合することが可能であり、間隔がＬｂのときには第２または第３段階に伸縮した前記一対のホルダと係合することが可能であるとき、前記係止部材は、前記係止位置にて、前記一対のホルダが第１段階に伸縮するのを防止するように設けられていることを特徴とする請求項１ないし４いずれか１項記載の記録紙ロールホルダ装置。
【発明の詳細な説明】
【技術分野】
【０００１】
本発明は、感熱記録紙や印画紙等の記録紙ロールを回転自在に保持する記録紙ロールホルダ装置に関する。
【背景技術】
【０００２】
写真プリンタやカラー感熱プリンタでは、長尺の記録紙をロール状に巻いた記録紙ロールが使用され、プリント前またはプリント後に規定サイズのシートペーパにカットしている。規定サイズには各種あり、この規定サイズに応じて異なる幅の記録紙ロールが選択的に使用される。記録紙ロールは、記録紙ロールホルダ装置を用いてプリンタの給紙部内で回転自在に保持され、給紙部内に配置された駆動機構によって記録紙が給紙部外へ搬送される。
【０００３】
異なる幅の記録紙ロールを保持することができる記録紙ロールホルダ装置として、記録紙ロールの内周面に嵌合する支持軸を備えるとともに給紙部内に載置された記録紙ロールの両端面と対向する一対のスライド部材を有し、このスライド部材を前記両端面に向かってスライド移動させることによって、記録紙ロールを保持する装置が知られている（例えば、特許文献１参照）。しかしながら、この装置では、スライド部材が給紙部内に取り付けられており、操作者が記録紙ロールを片手で中央に保持した状態でスライド部材を操作しなければならず、慣れていない操作者にとっては操作が難しいという問題があった。特に、異なる幅の記録紙ロールに頻繁に交換する場合には、操作が煩雑であった。
【０００４】
本出願人は、簡単な操作で記録紙ロールを保持することができる記録紙ロールホルダ装置として、記録紙ロールの内周面に嵌合する嵌合部を備え記録紙ロールの両端から装着される一対のホルダと、給紙部内に固定されており前記一対のホルダを装着自在な一対の支持部材とを有する装置を開発し提供している（例えば、特許文献２、３参照）。一対のホルダには位置決め用の溝が設けられており、この位置決め用の溝が支持部材のスリットと係合する。これにより、記録紙ロールは給紙部内で位置決めされる。異なる幅の記録紙ロールを選択的に収納する場合には、位置決め用の溝を複数設ければよい。なお、特許文献３に記載された技術では、一対のホルダが互いに結合するため、記録紙ロールを装着していない場合に、ホルダ毎に別々に支持部材に係合させる必要がなく、一対のホルダを一体にして支持部材に係合させることができるため、動作が簡単となり好ましい。
【０００５】
本出願人は、国内向けには、Ｌ１（８９ｍｍ），Ｌ２（１００ｍｍ）の記録紙ロール幅に対応した２段階に伸縮する一対のホルダを有する記録紙ロールホルダ装置を提供し、海外向けには、Ｌ２（１００ｍｍ），Ｌ３（１１０ｍｍ）の記録紙ロール幅に対応した２段階に伸縮する一対のホルダを有する記録紙ロールホルダ装置を提供していた。
【特許文献１】実開平５−４６８５０号公報
【特許文献２】特開２００３−２６７５９６号公報
【特許文献３】特開２００１−１８０８４８号公報
【発明の開示】
【発明が解決しようとする課題】
【０００６】
国内仕様の記録紙ロールホルダ装置と、海外仕様の記録紙ロールホルダ装置は、ホルダのサイズが異なることから、共通のものを用いることはできなかった。このため、製造コストが増大するという問題が生じていた。また、国内仕様と海外仕様の両方のプリンタを用いるユーザにとって、ホルダを区別して用いなければならず、ユーザに負担をかけていた。
【０００７】
ここで、国内仕様と海外仕様の両方に対応させた共通の記録紙ロールホルダ装置を提供するため、Ｌ１，Ｌ２，Ｌ３の記録紙ロール幅に対応した第１，第２，第３段階の３段階に伸縮する一対のホルダを用いることが考えられる。３段階に伸縮する一対のホルダを用いる場合には、２種の態様が考えられる。第１の態様は、一対の支持部材を間隔が変化しない１位置（例えば、Ｌｃ）のみとし、ホルダに３つの位置決め用の溝を設けるものである。第２の態様は、一対の支持部材を間隔が２位置（例えば、ＬａとＬｂ）の間で変化するものとし、ホルダに２つの位置決め用の溝を設けるものである。
【０００８】
第１の態様の場合には、以下の問題が生じる。記録紙ロールホルダ装置７１を簡略化して示したものを図７に示す。Ｌ１，Ｌ２，Ｌ３の幅の記録紙ロールには、それぞれ符号６８，６９，７０を付した。図７（Ａ）に示すように左ホルダ７２と右ホルダ７３からなる一対のホルダ７４が第１段階に伸縮しているときには溝７３ａを支持部材７５に係合させ、図７（Ｂ）に示すように第２段階に伸縮しているときには溝７３ｂを支持部材７５に係合させ、図７（Ｃ）に示すように第３段階に伸縮しているときには溝７３ｃを支持部材７５に係合させる。なお、溝７２ａはいつも支持部材７６に係合させる。これにより、各記録紙ロール６８，６９，７０は中央に配置される。しかし、例えば、一対のホルダ７４が第２段階に伸縮しているときに溝７３ｃを支持部材７５に係合させることも可能である。この場合には、記録紙ロール６９が中央からずれた位置に配置されることとなる。ユーザにとってはどの溝を支持部材７５に係合させればよいかがわかりにくく、ユーザを混乱させやすい。記録紙ロール６９が中央に位置しているか否かを判断するセンサを用いることにより前記問題を解決することが可能であるが、この場合には製造コストが増大してしまう。
【０００９】
第２の態様の場合には、以下の問題が生じる。記録紙ロールホルダ装置８１を簡略化して示したものを図８，９に示す。一対のホルダ８４は、左ホルダ８２と右ホルダ８３とからなる。各ホルダ８２，８３は、各支持部材８５，８６に係合する。図８に示すように支持部材８５，８６の間隔が国内仕様のＬａとされたときには、第１または第２段階に伸縮した一対のホルダ８４を係合させることができる。図８（Ａ）に示すように一対のホルダ８４が第１段階に伸縮しているときには溝８３ａを支持部材８６に係合させ、図８（Ｂ）に示すように第２段階に伸縮しているときには溝８３ｂを支持部材８６に係合させる。溝８２ａはいつも支持部材８５に係合される。ここで、一対のホルダ８４が第１段階に伸縮しているときに溝８３ｂを支持部材８６に係合させようとすると、左ホルダ８２の径が太くされた部位が支持部材８５にぶつかり係合させることができないため、ユーザはミスに気づき間違えることはない。
【００１０】
一方、図９に示すように、支持部材８５，８６の間隔が海外仕様のＬｂとされたときには、第２または第３段階に伸縮した一対のホルダ８４を係合させることができる。図９（Ａ）に示すように一対のホルダ８４が第２段階に伸縮しているときには溝８３ａを支持部材８６に係合させ、図９（Ｂ）に示すように第３段階に伸縮しているときには溝８３ｂを支持部材８６に係合させる。第２段階に伸縮しているときに溝８３ｂを支持部材８６に係合させようとしても径の大きな部位にぶつかり係合させることはできないため、ユーザはミスに気づき間違えることはない。このように、第２の態様の場合には一対のホルダ８４に記録紙ロールが装着されているときには、問題は生じない。しかしながら、記録紙ロールが装着されていないときには、各ホルダ８２，８３は記録紙ロールの端部に当接して位置決めされることがないため、一対のホルダ８４を自由な段階に伸縮させることができる。ユーザは通常、最も短い第１段階に伸縮させる傾向がある。ここで、支持部材８５，８６の間隔がＬｂとされており、一対のホルダ８４が第１段階に伸縮されている場合には、いずれの溝８３ａ，８３ｂを支持部材８５に合わせても一対のホルダ８４を係合させることができないため、ユーザを混乱させることとなる。無理に係合させようとすると、ホルダや支持部材を破損させるため問題となる。本発明では、この第２の態様における問題を解決する。
【００１１】
本発明では、異なる仕様に切り替えることができる操作性のよい記録紙ロールホルダ装置を提供することを目的とする。
【課題を解決するための手段】
【００１２】
本発明は、長尺の記録紙をロール状に巻いた記録紙ロールの両端から装着され、互いが結合した状態で前記記録紙ロールの幅に応じて異なる段階に伸縮し、給紙部内に固定された支持部と係合して前記記録紙ロールを回転自在に保持する一対のホルダを有する記録紙ロールホルダ装置に関し、一方のホルダに取り付けられており、他方のホルダの押し込みを係止して前記一対のホルダが前記支持部と係合不能な段階に伸縮することを防止する係止位置と、前記係止位置から退避して前記他方のホルダの押し込みを自由に行わせる退避位置との間を変位する係止部材を備えたことを特徴とする。
【００１３】
前記係止部材は、前記記録紙ロールが装着されていないときに前記係止位置に変位し、前記記録紙ロールが装着されているときに前記退避位置に変位することが好ましい。
【００１４】
前記係止部材は前記係止位置に向けてバネ付勢されており、前記係止部材には、前記記録紙ロールが装着されると前記記録紙ロールの内周面に圧接し、前記記録紙ロールが前記一対のホルダに対して所定の方向に回転しようとすると前記内周面に食い込んで、前記記録紙ロールが前記一対のホルダに対して滑るのを防止する爪部が設けられていることが好ましい。
【００１５】
前記係止部材は、前記爪部が食い込むほ方向が互いに逆向きとなるようにして複数設けてもよい。
【００１６】
前記一対のホルダは、小さい順にＬ１，Ｌ２，Ｌ３の記録紙ロール幅に対応した第１，第２，第３段階に伸縮することが可能であり、前記支持部は、間隔がＬａまたはＬｂに固定され前記一対のホルダとそれぞれ係合する一対の支持部材からなり、間隔がＬａのときには第１または第２段階に伸縮した前記一対のホルダと係合することが可能であり、間隔がＬｂのときには第２または第３段階に伸縮した前記一対のホルダと係合することが可能であるとき、前記係止部材は、前記係止位置にて、前記一対のホルダが第１段階に伸縮するのを防止するように設けられていることが好ましい。
【発明の効果】
【００１７】
本発明の記録紙ロールホルダ装置によれば、他方のホルダの押し込みを係止する係止位置と、他方のホルダの押し込みを自由に行わせる退避位置との間を変位する係止部材を備え、係止部材は、記録紙ロールが装着されていないときに係止位置に変位し、記録紙ロールが装着されているときに退避位置に変位するので、記録ロールが装着されていないときであっても一対のホルダは支持部に係合不能な段階に伸縮することはないため、一対のホルダを支持部に確実に係合させることができる。これにより、ユーザを混乱させることがないため、例えば、国内仕様と海外仕様との間で仕様を切り替えることができる装置を提供することができる。また、国内仕様と海外仕様の２つのプリンタにおいて、共通に使用可能な記録紙ロールホルダ装置を提供することもできる。製造コストを抑えることができるとともに、便利性を向上させることができる。
【発明を実施するための最良の形態】
【００１８】
図１に示す給紙マガジン２は、プリンタに着脱自在にセットされて、プリンタのプリント部に記録紙を給紙する給紙装置である。給紙マガジン２には、記録紙ロールホルダ装置３を用いて、幅の異なる記録紙ロールが選択的に回転自在に収納される。
【００１９】
給紙マガジン（給紙部）２は、マガジン本体５と、蓋６とから構成される。マガジン本体５には、一対の支持部材７，８が設けられている。各支持部材７，８にはそれぞれスリット７ａ，８ａが設けられている。各スリット７ａ，８ａには、後述する各ホルダが係合する。支持部材７，８は、間隔がＬａとなる位置と、間隔がＬｂとなる位置のいずれかに位置決めして取り付けることができる。
【００２０】
マガジン本体５には、図示しない給紙ローラが設けられている。給紙ローラは、記録紙ロールの外周面に圧接して、記録紙を給紙マガジン２外へと搬送する。給紙ローラは、プリンタに設けられたモータからの駆動力を伝達されて回転する。
【００２１】
図２に示すように、記録紙ロール１０は、幅Ｌ１（例えば、８９ｍｍ）の記録紙１７と、この記録紙１７を巻き取る巻芯３２とから構成される。同様にして、記録紙ロール１１は、幅Ｌ２（例えば、１００ｍｍ）の記録紙１８と巻芯３３とから構成され、記録紙ロール１２は、幅Ｌ３（例えば、１１０ｍｍ）の記録紙１９と巻芯３４とから構成される。なお、「Ｌ１＜Ｌ２＜Ｌ３」の関係となっている。巻芯は、紙やプラスチックを材料としている。
【００２２】
記録紙ロールホルダ装置３は、前述した一対の支持部材７，８（図１参照）と、一対のホルダ１６とから構成される。一対のホルダ１６は、メスホルダ（一方のホルダ）１４とオスホルダ（他方のホルダ）１５とからなる。各ホルダ１４，１５は、巻芯１３の内周面（記録紙ロールの内周面）に嵌合する嵌合部２０，２１と、記録紙ロールの端面に対向するフランジ２２，２３と、回転軸２４，２５を回転自在に保持する軸支部２６，２７とからなる。
【００２３】
図３は、記録紙ロールを装着しない状態で各ホルダ１４，１５を結合させたときの、幅方向における断面図である。図２及び図３に示すように、メスホルダ１４は長めの回転軸２４を有し、この回転軸２４は端部を軸支部２６に支えられ、中央部を嵌合部２０の一部に支えられている。嵌合部２０には、幅方向に延びる板状のガイド部２８が上下に設けられている。ガイド部２８には、矩形状の係合穴２８ａ，２８ｂ，２８ｃが幅方向に並べられて形成されており、この係合穴２８ａ，２８ｂ，２８ｃはホルダ同士の結合の際に、オスホルダ１５に設けられた付勢部材２９と係合する。嵌合部２０の外周面には、開口３０が形成されており、この開口３０近傍にはそれぞれ係止部材３１が設けられている。
【００２４】
係止部材３１は、嵌合部２０に取り付けられ幅方向に延びる軸３２を中心に回動自在とされている。係止部材３１には、係止部３１ａと爪部３１ｂとが設けられている。係止部３１ａは幅方向に突出して端面が幅方向に対して垂直な平面となっており、この平面が係止面３５とされている。爪部３１ｂは、径方向において外側に突出するようにして設けられている。爪部３１ｂには傾斜面３６が設けられている。爪部３１ｂは、先端に向かうにしたがって細くなるように形成されている。係止部材３１は、バネ３７によって、図中右側からみて反時計回りに付勢されている。係止部材３１は、メスホルダ１４に記録紙ロール４が装着されていない状態で係止位置にあり、メスホルダ１４に記録紙ロール４が装着されると記録紙ロール４の端部が爪部３１ｂの傾斜面３６に当接し、時計回りに回転して退避位置に移動する。係止部材３１は、係止位置では、係止部３１ａの下部がオスホルダ１５が通過する空間内に位置し、爪部３１ｂが開口３０から外部に突出している。係止部材３１は、退避位置では、係止部３１ａがオスホルダ１５の通過する空間外に位置し、爪部３１ｂが巻芯１３の内周面１３ａに圧接する。
【００２５】
フランジ２２は嵌合部２０に固定されている。軸支部２６には、幅広の溝３８が形成されている。この溝３８は支持部材７のスリット７ａ（図１参照）と係合する。
【００２６】
オスホルダ１５は短めの回転軸２５を有し、この回転軸２５は端部を軸支部２７に支えられている。嵌合部２１には、係合部４０が形成されている。この係合部４０には、メスホルダ１４の回転軸２４が挿入される係合穴４０ａが形成されている。嵌合部２１には、筒状部４１が形成されている。この筒状部４１は、上面及び下面が平面とされており、側面が曲面とされている。筒状部４１の上面及び下面は、オスホルダ１５がメスホルダ１４に押し込まれる際に、ガイド部材２８に摺動する。筒状部４１の上面及び下面には、付勢部材２９が設けられている。この付勢部材２９は、筒状部４１に形成されたガイド溝４２内（図３参照）に配置されており、バネ４３（図３参照）によってそれぞれ前記面より外部に突出するようにして設けられている。この付勢部材３０は、オスホルダ１５がメスホルダ１４に押し込まれる際に、ガイド部２８の係合穴２８ａ，２８ｂ，２８ｃのいずれかに係合する。
【００２７】
付勢部材３０が係合穴２８ａに係合するとき、一対のホルダ１６は第１段階に伸縮していると称する。同様にして、付勢部材３０が係合穴２８ｂに係合するとき、一対のホルダ１６は第２段階に伸縮していると称し、付勢部材３０が係合穴２８ｃに係合するとき、一対のホルダ１６は第３段階に伸縮していると称する。このように、一対のホルダ１６は、３段階に伸縮することができる。一対のホルダ１６が第１段階に伸縮しているとき、フランジ２２，２３の間隔はＬ１である。同様にして、第２段階に伸縮しているときフランジ２２，２３の間隔はＬ２であり、第３段階に伸縮しているときフランジ２２，２３の間隔はＬ３である。
【００２８】
フランジ２３は嵌合部２１に固定されている。軸支部２７には、溝４４と溝４５が並べられて形成されている。これらの溝４４，４５は、支持部材７，８の間隔及び一対のホルダ１６の伸縮段階に応じて、いずれかが支持部材８のスリット８ａ（図１参照）に係合されるものである。
【００２９】
以下、上記構成による作用について説明する。まず、海外仕様にした場合について示す。海外仕様にする場合には、支持部材７，８を、間隔がＬｂになるようにして給紙マガジン２に取り付ける。支持部材７，８の間隔がＬｂであれば、記録紙ロールホルダ装置３を用いて、記録紙ロール１１，１２のいずれかを選択的に収納することができ、記録紙ロール１０は収納することができない。
【００３０】
メスホルダ１４に記録紙ロール１１を押し込むと、記録紙ロール１１の端部が係止部材３１の傾斜面３６に当接し、係止部材３１がバネ３７の付勢に抗して時計回り（図２中、右側からみたとき）に回転を始める。記録紙ロール１１を最も奥まで押し込むと、係止部材３１が退避位置に移動する。この退避位置では、係止部材３１の爪部３１ｂが巻芯３３の内周面に圧接している。爪部３１ｂは、記録紙ロール１１がメスホルダ１４に対して時計回りに回転すると食い込むように圧接しており、記録紙ロール１１はメスホルダ１４に対する回転が一方向のみに限られることとなる。
【００３１】
記録紙ロール１１が装着されたメスホルダ１４にオスホルダ１５を押し込む際には、係止部材３１が退避位置に移動しているため、オスホルダ１５のフランジ２３が記録紙ロール１１の端部に当接するまで押し込むことができる。この際、メスホルダ１４の回転軸２４が、オスホルダ１５の係合部４０と係合する。図４（Ａ）に示すように、Ｌ２の幅の記録紙ロール１１が装着された一対のホルダ１６は第２段階に伸縮することになる。
【００３２】
一対のホルダ１６が装着された記録紙ロール１１は、給紙マガジン２にセットされる。図４（Ａ）に示すように、オスホルダ１５の溝４５が支持部材８のスリット８ａに係合するように、メスホルダ１４の溝３８が支持部材７のスリット７ａに係合するようにする。オスホルダ１５の溝４４を支持部材８のスリット８ａに係合させようとしても、メスホルダ１４の軸支部２６の径が太くされた部位が支持部材７と係合しないため、溝４５と溝４４を間違えることはない。
【００３３】
図４（Ｂ）に示すように、Ｌ３の幅の記録紙ロール１２が装着されている場合には、一対のホルダ１６は第３段階に伸縮することなる。給紙マガジン２に収納する際には、オスホルダ１５の溝４４が支持部材８のスリット８ａに係合するように、メスホルダ１４の溝３８が支持部材７のスリット７ａに係合するようにする。
【００３４】
記録紙ロールが収納された給紙マガジン２はプリンタにセットされる。プリンタ側からの指示により、給紙マガジン２内の給紙ローラが駆動すると、記録紙ロールがプリンタ部へ搬送される。
【００３５】
海外仕様にした場合に、記録紙ロールが装着されていない状態で、一対のホルダ１６のみを給紙マガジン２に収納するときには以下のようになる。メスホルダ１４には記録紙ロールが装着されていないため、係止部材３１は係止位置にある。図３に示すように、メスホルダ１４にオスホルダ１５を押し込むと、オスホルダ１５の筒状部４１がメスホルダ１４のガイド部２８に摺動し、やがて筒状部４１の端部が係止部材３１の係止面３５の下端部に当接する。これにより、オスホルダ１５は押し込みを係止される。この位置は、一対のホルダ１６が第２段階に伸縮している位置である。一対のホルダ１６は、オスホルダ１５の溝４５が支持部材８のスリット８ａに係合するように、メスホルダ１４の溝３８が支持部材７のスリット７ａに係合するようにして、給紙マガジン２に収納される。各ホルダ１４，１５を一体にして収納することができるので、収納作業は簡単である。
【００３６】
従来では、記録紙ロールを装着しない場合においては、一対のホルダを自由に伸縮させることができ、第１段階に伸縮させることができた。第１段階に伸縮させた場合には、どの溝を支持部材に合わせても、一対のホルダを支持部材に係合させることができず、ユーザを混乱させていた。本発明では、係合部材３１を設け、記録紙ロールを装着しない場合において、第１段階に伸縮させることを防止した。これにより、ユーザを混乱させることなく、一対のホルダを確実に支持部材に係合させることができる。なお、海外仕様にした場合において、一対のホルダが第１段階に伸縮するときが、係合不能な段階に伸縮するとき、を意味している。
【００３７】
次に国内仕様にした場合について示す。国内仕様にする場合には、支持部材７，８を、間隔がＬａになるようにして給紙マガジン２に取り付ける。支持部材７，８の間隔がＬａであれば、記録紙ロールホルダ装置３を用いて、記録紙ロール１０，１１のいずれかを選択的に収納することができる。
【００３８】
図５（Ａ）に示すように、Ｌ１の幅の記録紙ロール１０を装着した場合には、一対のホルダ１６は第１段階に伸縮することになる。この一対のホルダ１６を給紙マガジン２に収納する際には、オスホルダ１５の溝４５が支持部材８のスリット８ａに係合するように、メスホルダ１４の溝３８が支持部材７のスリット７ａに係合するようにする。
【００３９】
図５（Ｂ）に示すように、Ｌ２の幅の記録紙ロール１１を装着した場合には、一対のホルダ１６は第２段階に伸縮することになる。この一対のホルダ１６を給紙マガジン２に収納する際には、オスホルダ１５の溝４４が支持部材８のスリット８ａに係合するように、メスホルダ１４の溝３８が支持部材７のスリット７ａに係合するようにする。
【００４０】
国内仕様にした場合に、記録紙ロールが装着されていない状態で、一対のホルダ１６のみを給紙マガジン２に収納するときには、上記の海外仕様の場合と同様に第２段階に伸縮することとなる。ただし、支持部材８に係合させる溝は異なる。この一対のホルダ１６を給紙マガジン２に収納する際には、オスホルダ１５の溝４４が支持部材８のスリット８ａに係合するように、メスホルダ１４の溝３８が支持部材７のスリット７ａに係合するようにする。
【００４１】
上記実施形態では、メスホルダの上部及び下部に、１つずつ係止部材を設けた。これらの係止部材は、記録紙ロールがメスホルダに対して時計回り（図２中、右側からみて）に回転しようとすると爪部が記録紙ロールの内周面に食い込むものであった。これにより、記録紙ロールは、メスホルダに対して、時計回りの回転が許容されず、反時計回りの回転が許容されていた。別の実施形態として、図６に示すように、爪部が食い込む方向が互いに逆向きとなるようにして、係止部材３１と係止部材５０を設けたメスホルダ５１を用いてもよい。係止部材５０は、記録紙ロールがメスホルダ５１に対して反時計回り（図６中、右側からみて）に回転しようとすると、爪部が記録紙ロールの内周面に食い込むものである。これにより、メスホルダ５１に装着された記録紙ロールは、メスホルダ５１に対して両方向の回転が許容されない。
【００４２】
なお、上記実施形態では、メスホルダへ記録紙ロールが装着される動作に伴って係止部材が係止位置から退避位置へ変位することとしたが、他の形態であってもよい。例えば、係止部材を変位させるための操作部材を設け、この操作部材の操作に伴って係止部材を変位させることとしてもよい。
【００４３】
上記実施形態では、支持部材の間隔をＬａとＬｂとの間で変化させることによって国内仕様と海外仕様に切り替えることができる形態で装置を説明したが、支持部材の間隔がＬａの１位置のみに固定された国内仕様の装置と、支持部材の間隔がＬｂの１位置のみに固定された海外仕様の装置との２つの装置間で、一対のホルダを共通に使用するような形態であってもよい。
【図面の簡単な説明】
【００４４】
【図１】本発明を実施した記録紙ロールホルダ装置の外観斜視図である。
【図２】装着前における一対のホルダと記録紙ロールの斜視図である。
【図３】記録紙ロールを装着しないときの一対のホルダの幅方向における断面図である。
【図４】支持部材の間隔をＬｂとし、Ｌ２とＬ３の幅の記録紙ロールを装着したときの一対のホルダの幅方向における断面図である。
【図５】支持部材の間隔をＬａとし、Ｌ１とＬ２の幅の記録紙ロールを装着したときの一対のホルダの幅方向における断面図である。
【図６】別の実施形態における記録紙ロールホルダ装置の一部分の斜視図である。
【図７】３段階に伸縮する一対のホルダと１位置に固定された支持部材とを用いた場合に生じる問題を説明するための説明図である。
【図８】３段階に伸縮する一対のホルダと２位置間で変位可能な支持部材とを用いた場合に生じる問題を説明するための説明図である。
【図９】３段階に伸縮する一対のホルダと２位置間で変位可能な支持部材とを用いた場合に生じる問題を説明するための説明図である。
【符号の説明】
【００４５】
２  給紙マガジン
３  記録紙ロールホルダ装置
７，８  支持部材
１０，１１，１２  記録紙ロール
１４  メスホルダ
１５  オスホルダ
１６  一対のホルダ
３１  係止部材
３８，４４，４５  溝
【図１】
2006188355.tif 000003
【図２】
2006188355.tif 000004
【図３】
2006188355.tif 000005
【図４】
2006188355.tif 000006
【図５】
2006188355.tif 000007
【図６】
2006188355.tif 000008
【図７】
2006188355.tif 000009
【図８】
2006188355.tif 000010
【図９】
2006188355.tif 000011